(57)【要約】      （修正有）【課題】ケースに形成している開口を通してケース内における測定テープの目盛りを読み取る際の読み取り誤差を低減できるようにして、精度のよい長さ測定を行うことができる巻尺を提供する。【解決手段】測定テープ７を回転ドラム５の外方に周回させている測定テープ支持用の複数のガイドローラ９のうちの少なくともひとつをケース２の上部２ｃに設けている窓３の内側近傍に配設して、この窓３の内側近傍に配設したガイドローラ９上を通過する測定テープが、このガイドローラ９に沿って山をなすよう他のガイドローラ９を回転ドラム５の外方に配設した。【選択図】図１
2009052949.tif 000002
【特許請求の範囲】
【請求項１】
ケース内に、幅方向に湾曲する測定テープを周囲に巻き回し、同測定テープを巻き取り方向に付勢する付勢手段を内装する回転ドラムが回転自在に支持されていて、同回転ドラムから引き出される測定テープが回転ドラムから離間させられて外方を周回するとともに、同測定テープの目盛りを読み取るためのケースに形成した開口の内側近傍を通過してケースのテープ出入口から出入りする巻尺であって、測定テープを支持、案内して回転ドラムの外方に周回させる複数の回転体のうちの少なくともひとつを前記開口の内側近傍に配設して、この回転体上を通過する測定テープが、その長手方向において同回転体に沿って山をなすよう他の回転体を回転ドラムの外方に配設してなる巻尺。
【請求項２】
前記開口の内側近傍に配設する回転体を、測定テープにおける目盛りの読み取り位置に対応させて配設してなる請求項１に記載の巻尺。
【請求項３】
前記開口を、透光性を有する閉止部材で塞ぎ、同閉止部材に測定テープにおける目盛りの読み取り位置を示す目印を設けてなる請求項１に記載の巻尺。
【請求項４】
前記目印を、前記透光性を有する閉止部材の上面および下面に設けてなる請求項３に記載の巻尺。
【発明の詳細な説明】
【技術分野】
【０００１】
本発明は、凹部内における対向する壁間の距離を測定する際に用いる測定テープ自動巻取り式の巻尺に関し、より詳しくは、ケースに形成している開口を通してケース内における測定テープの目盛りを読み取る際、同目盛りの読み取り誤差を低減できるようにした巻尺に関する。
【背景技術】
【０００２】
従来、巻尺における測定長さを表示する測定テープの目盛りは測定テープの上面側すなわち測定テープ表面に表示していて、長さを測定する際は、ケース内の回転ドラムに平坦に巻回している測定テープをケースにおける前部下方のテープ出入口から引き出して被測定物の上に沿わせ、測定テープ表面に表示している目盛りを読み取って長さ測定をしている。
【０００３】
そして、上述する測定テープ表面に表示する目盛りを用いて行う長さ測定が巻尺における通常の使用形態である。
【０００４】
また、測定テープは巻回が解かれて直線状になると幅方向に湾曲するように形成しているので、測定テープをケースから引き出して空中に伸張させた際にある程度の伸張長さまで垂れ下がらないようになっている。
【０００５】
さらには、上述する測定テープの裏面にも測定長さを示す目盛りを設けるとともに、この目盛りにおける測定テープ進退方向のケース前端から後端までの距離を加えた分の長さを示す目盛りの位置をケースに有する開口を通してケース外部から読み取ることができるようにして、凹部内における対向する壁間の距離を測定できるようにした巻尺もある（例えば、特許文献１参照）。
【０００６】
このような巻尺の内部構造は、図７に示すように、ケース１１内において回転ドラム１２から引き出される測定テープ１３が、回転ドラム１２の外方周囲に配設したガイドローラ１４に掛け渡されてケース１１前部下方のテープ出入口１１ａに案内されていて、窓１５の下方を通過する測定テープ１３の裏面に表示した目盛り１３ａを、同窓１５を通してケース１１の外部から読み取っている。
【０００７】
しかしながら、窓１５の下方において測定テープ１３がケース１１内上方の前後両側寄りにそれぞれ配設されたガイドローラ１４に掛け渡されているので、図８に示すように、窓１５の下方における測定テープ１３はそれぞれのガイドローラ１４間で直線状になるため測定テープ１３が上方に湾曲気味になり、したがって測定テープ１３における幅方向の中間部は測定テープ１３が上方に湾曲気味になることからこの中間部は窓１５に近接し、一方、測定テープ１３における幅方向の両側部は窓１５から離れてしまう。
【０００８】
かくすると、測定テープの表面に表示している通常測定に適した目盛り表示に合わせて違和感が出ないように目盛りの部分を測定テープにおける幅方向の両側部に表示している測定テープの裏面に表示している目盛りを読み取る際にこの目盛りが窓に有する読み取り位置を示す目印から離れ、目盛りの読み取り誤差が生じる恐れがあった。
【０００９】
【特許文献１】特開昭６１−１８８０１号公報（第１〜５頁、第１〜５図）
【発明の開示】
【発明が解決しようとする課題】
【００１０】
本発明は、ケースに形成している開口を通してケース内における測定テープの目盛りを読み取る際の読み取り誤差を低減できるようにして、精度のよい長さ測定を行うことができる巻尺を提供できるようにした。
【課題を解決するための手段】
【００１１】
上述した課題を解決するために、本発明に係る巻尺は、ケース内に、幅方向に湾曲する測定テープを周囲に巻き回し、同測定テープを巻き取り方向に付勢する付勢手段を内装する回転ドラムが回転自在に支持されていて、同回転ドラムから引き出される測定テープが回転ドラムから離間させられて外方を周回するとともに、同測定テープの目盛りを読み取るためのケースに形成した開口の内側近傍を通過してケースのテープ出入口から出入りする巻尺であって、測定テープを支持、案内して回転ドラムの外方に周回させる複数の回転体のうちの少なくともひとつを前記開口の内側近傍に配設して、この回転体上を通過する測定テープが、その長手方向において同回転体に沿って山をなすよう他の回転体を回転ドラムの外方に配設した構成のものとしてある。
【００１２】
また、前記開口の内側近傍に配設する回転体を、測定テープにおける目盛りの読み取り位置に対応させて配設したものとしてある。
【００１３】
さらに前記開口を、透光性を有する閉止部材で塞ぎ、同閉止部材に測定テープにおける目盛りの読み取り位置を示す目印を設けたものとしてある。
【００１４】
また前記目印を、前記透光性を有する閉止部材の上面および下面に設けたものとしてある。
【発明の効果】
【００１５】
本発明の巻尺によれば、ケースに形成した開口に表示している目印の内側直近においてケース内を通過する測定テープ面がほぼ平坦になるので、測定テープにおける幅方向の両端部に表示している目盛りが、開口縁や開口を塞ぐ透光性を有する閉止部材に設けた目盛りの読み取り位置を示す目印に近接し、測定テープの目盛りを読み取る際に目盛りの読み取り誤差を低減できて精度のよい長さ測定を行うことができる。
【００１６】
また、測定テープにおける目盛りの読み取り位置を示す目印を、透光性を有する閉止部材の上面および下面に設けているものは、測定テープの目盛りを読み取る場合に、この閉止部材の上面および下面の目印が重なる位置で測定テープの目盛りを読み取ることでより正確な測定寸法を読み取ることができる。
【発明を実施するための最良の形態】
【００１７】
以下、本発明に係る巻尺を添付図面に基づいて説明する。
巻尺１は、図１に示されるように、ケース２内において軸４に支持された回転ドラム５に巻回している測定テープ７を、同回転ドラム５の周囲に配設した回転体たる各ガイドローラ９に掛け渡して回転ドラムから離間させ、かつケース２の上部２ｃに、透光性を有する閉止部材に目印３ａ（図２を参照）を設けて塞いだ窓３の内側近傍を通過させてケース２の前部２ｂに配設しているテープ出入口２ａに案内している。
【００１８】
そして、図２に示すように、窓３を通して測定テープ７の裏面に表示している目盛り７ｂを視認できるようにしている。
【００１９】
前記回転ドラム５の周囲に配設した各ガイドローラ９は、一つをケース２の上部２ｃに配設した窓３における目印３ａの内側近傍に配設してあって、測定テープ７を各ガイドローラ９に掛け渡した際、測定テープ７が、窓３における目印３ａの内側近傍に配設したガイドローラ９に沿って山をなすようにしている。
【００２０】
したがって、測定テープ７が窓３における目印３ａの内側近傍においてガイドローラ９に沿って山をなすので、図３に示すように、ガイドローラ９上の測定テープ７における幅方向が湾曲することなく、同測定テープ７の幅方向はガイドローラ９上においてほぼ平坦になる。
【００２１】
また、図４に示すように、ケース２の窓３における目印３ａの下方に配設したガイドローラ９の測定テープ７における進退方向の前後一側もしくは両側にガイドローラ９を配設し、ケース２の上部２ｃ、窓３の内側近傍において測定テープ７を山と谷が続く略正弦波形状に架設する場合もある。
【００２２】
さらに、図５に示すように、測定テープ７の裏面に表示する目盛り７ｂの読み取り位置を示す目印を、窓３における上面（外面）の目印３ａに加えて窓３の下面（内面）に目印３ｂを設けて、測定テープ７の目盛り７ｂを読み取る場合に、この窓３における上面の目印３ａおよび下面の目印３ｂが重なる位置で測定テープ７の目盛り７ｂを読み取るようにして正確な測定寸法を読み取れるようにする場合もある。
【００２３】
かくして、図５に示すように、巻尺１を用いて溝１０の対向する側壁１０ａ間の内側を測定する場合は、溝１０の側壁１０ａ間に、巻尺１のケース２におけるテープ出入口２ａから引き出した測定テープ７のフック８の前面を溝１０内における一方の側壁１０ａに当接させ、またケース２の後部２ｄにおけるケース面を溝１０内における他方の側壁１０ａに当接させる。
【００２４】
次に、図５中の矢印方向より、ケース２における上部２ｃの窓３の目印３ａが示す測定テープ７における裏面の目盛り７ｂを読むことによって、溝１０の対向する側壁１０ａ間の距離すなわち内側の測定ができる。
【００２５】
実施例における図１中の符号６は、回転ドラム５を測定テープ７の巻き取り方向に付勢するための巻き取りばね、図２中の符号７ａは、測定テープ７の表面に表示している目盛りである。
【００２６】
また、本実施例に示す巻尺１は、測定テープ７をケース２より引き出した際、測定テープ７を任意の引き出し位置で停止させるためのテープブレーキと、巻き取りばね６の付勢力によって測定テープ７が巻き取られた際、測定テープ７がケース２のテープ出入口２ａに衝突する際の衝撃を緩和する衝撃吸収ダンパーを備えているが、図示は省略した。
【図面の簡単な説明】
【００２７】
【図１】本発明に係る巻尺における測定テープを引き出した状態で半ケースを取り外して内部構造を示した側面図。
【図２】測定テープを引き出した状態における巻尺の平面図。
【図３】ケースを窓部において縦断面にして窓部下方のガイドローラに架設する測定テープの架設状態を示したケース内上方部分の正面図。
【図４】測定テープのケース上部下方における他の架設例を示した測定テープを引き出した状態で半ケースを取り外した側面図。
【図５】窓の目印における他の設置例を示したケースの窓部における側面図。
【図６】溝の内側を測定する際の使用状態を巻尺の側方面から示す断面図。
【図７】従来の巻尺における測定テープを引き出した状態で半ケースを取り外して内部構造を示した側面図。
【図８】従来の巻尺におけるケースの窓部下方における測定テープの架設状態を示したケース内上方部分の正面図。
【符号の説明】
【００２８】
１  巻尺
２  ケース
２ａ  テープ出入口
２ｂ  前部
２ｃ  上部
２ｄ  後部
３  窓
３ａ  目印
３ｂ  目印
４  軸
５  回転ドラム
６  巻き取りばね
７  測定テープ
７ａ  目盛り
７ｂ  目盛り
８  フック
９  ガイドローラ
１０  溝
１０ａ  側壁
１１  ケース
１１ａ  テープ出入口
１２  回転ドラム
１３  測定テープ
１３ａ  目盛り
１４  ガイドローラ
１５  窓
【図１】
2009052949.tif 000003
【図２】
2009052949.tif 000004
【図３】
2009052949.tif 000005
【図４】
2009052949.tif 000006
【図５】
2009052949.tif 000007
【図６】
2009052949.tif 000008
【図７】
2009052949.tif 000009
【図８】
2009052949.tif 000010